(57)【要約】【課題】  光学ファインダの光路中に設けられたＥＶＦ用の表示手段から発する光がフレア・ゴースト光となって眼に届かないようにする。【解決手段】  光学ファインダの光路中に設けられ、撮像素子１０６からの画像を表示する透過型且つ両面発光型の表示手段３００と、光学ファインダによりフレーミングを決定する第一のファインダモードと、表示手段に表示される画像によりフレーミングを決定する第二のファインダモードのいずれかを選択する選択手段とを有し、撮影レンズの光路中に退避可能に配設された可動式ミラーの駆動手段は、第一のファインダモード選択時に撮影レンズからの光を光学ファインダに導く待機角度である第一の角度に可動式ミラーを設定し、第二のファインダモードの選択時に可動式ミラーにより反射された表示手段の表示像が接眼枠から見えないよう、第二の角度に可動式ミラーを設定する。【選択図】  図５
2014170059.tif 000002
【特許請求の範囲】
【請求項１】
撮影レンズから撮像素子に至る光路中に退避可能に配設された可動式ミラーと、
前記可動式ミラーを移動させる駆動手段とを備えた撮像装置であって、
光学ファインダのピント板と接眼枠の間の光路中に設けられた透過型且つ両面発光型の表示手段と、
前記撮像素子から得られる画像を前記表示手段に表示させる表示制御手段と、
前記光学ファインダによりフレーミングを決定する第一のファインダモードと、前記撮像素子から得られる画像を前記表示手段に表示してフレーミングを決定する第二のファインダモードのいずれかを選択する選択手段とを有し、
前記駆動手段は、前記第一のファインダモードが選択されたときに、少なくともフレーミング時に前記撮影レンズからの光を前記光学ファインダに導く待機角度である第一の角度に前記可動式ミラーの角度を設定し、前記第二のファインダモードが選択されたときに、前記撮像素子への光路を遮らず、かつ前記可動式ミラーにより反射された前記表示手段の表示像が前記接眼枠から見えないよう、第二の角度に前記可動式ミラーの角度を設定することを特徴とする撮像装置。
【請求項２】
前記第一のファインダモードが選択されたときに撮影動作が行われると、前記可動式ミラーが前記第一の角度から前記第二の角度と異なる第三の角度に移動して撮影が行われることを特徴とする請求項１に記載の撮像装置。
【請求項３】
前記第二の角度は、前記光路に対してなす角度が前記第三の角度より大きいことを特徴とする請求項２に記載の撮像装置。
【請求項４】
前記駆動手段は、前記可動式ミラーを前記第一の角度から前記第二の角度に移動させる第一のミラー駆動系と、前記可動式ミラーを前記第二の角度から前記第三の角度に移動させる第二のミラー駆動系からなることを特徴とする請求項２又は３に記載の撮像装置。
【請求項５】
前記駆動手段は、前記可動式ミラーを前記第一の角度から前記第三の角度を経て前記第二の角度に移動させることを特徴とする請求項２又は３に記載の撮像装置。
【発明の詳細な説明】
【技術分野】
【０００１】
本発明は、光学ファインダと電子ビューファインダの両方を併せ持つ撮像装置に関するものである。
【背景技術】
【０００２】
従来のデジタル一眼レフカメラは被写体光学像を主ミラーで反射させて、ペンタプリズム、さらには接眼レンズを介して観察することができる、いわゆるＴＴＬ方式の光学ファインダ（以下、ＯＶＦと略す）が一般的である。撮像素子に被写体像を結像させるとき以外、主ミラーは被写体光学像を反射させるためにダウンしている。しかしながら、この方式はファインダ像と撮像画が露出補正やホワイトバランスなどの画像処理により変化する場合も事前にファインダで確認することはできない。
【０００３】
これに対し、ＯＶＦの代わりに電子ビューファインダ（以下、ＥＶＦと略す）を搭載したデジタル一眼レフカメラもある。ＥＶＦは、カメラ背面に有機ＥＬディスプレイ等の表示部を設けており、前記表示部には撮像素子から出力されるスルー画像を表示し、撮影者に被写体像を撮像させる。一方で、ＯＶＦとは異なり、撮像素子に被写体像を常時結像させるために主ミラーはアップしている。しかしながら、ＥＶＦは撮像素子から出力されて画像処理されたスルー画像を表示するため、実際の被写体の状態に比べて若干のタイムラグが存在するといった課題がある。
【０００４】
近年のデジタル一眼レフカメラには、上述した種々の課題があるため、ＯＶＦとＥＶＦの両方を兼ね揃えたファインダ装置が考えられている。ＯＶＦで観察される被写体像とＥＶＦの表示画像のいずれか一方を選択してファインダ接眼レンズを通して撮影者が視認可能に、或いは、両者を重ね合わせて撮影者が視認可能な、ハイブリッド型のファインダ装置が提案されている（特許文献１）。
【０００５】
下記の特許文献１ではＯＶＦとＥＶＦの光路を光路中のプリズムで合成しており、ＥＶＦ表示素子の不要光が眼に届かない構成をとっている。
【先行技術文献】
【特許文献】
【０００６】
【特許文献１】特開２０１２−０６３７１６号公報
【発明の概要】
【発明が解決しようとする課題】
【０００７】
しかしながら、特許文献１の従来例ではファインダ中に光路合成のためのプリズムが必要となり、装置の大型化とコストアップを招いてしまう。また、一眼ではない。
【０００８】
（発明の目的）
本発明の目的は、光学ファインダの光路中に設けられたＥＶＦ用の表示手段から発する光がフレア・ゴースト光となって眼に届かないことを可能にした撮像装置を提供することである。
【課題を解決するための手段】
【０００９】
上記目的を達成するために、本発明の撮像装置は、撮影レンズから撮像素子に至る光路中に退避可能に配設された可動式ミラーと、前記可動式ミラーを移動させる駆動手段とを備えた撮像装置であって、光学ファインダのピント板と接眼枠の間の光路中に設けられた透過型且つ両面発光型の表示手段と、前記撮像素子から得られる画像を前記表示手段に表示させる表示制御手段と、前記光学ファインダによりフレーミングを決定する第一のファインダモードと、前記撮像素子から得られる画像を前記表示手段に表示してフレーミングを決定する第二のファインダモードのいずれかを選択する選択手段とを有し、前記駆動手段が、前記第一のファインダモードが選択されたときに、少なくともフレーミング時に前記撮影レンズからの光を前記光学ファインダに導く待機角度である第一の角度に前記可動式ミラーの角度を設定し、前記第二のファインダモードが選択されたときに、前記撮像素子への光路を遮らず、かつ前記可動式ミラーにより反射された前記表示手段の表示像が前記接眼枠から見えないよう、第二の角度に前記可動式ミラーの角度を設定することを特徴とするものである。
【発明の効果】
【００１０】
本発明によれば、光学ファインダの光路中に設けられたＥＶＦ用の表示手段から発する光がフレア・ゴースト光となって眼に届かないようにすることができる。
【図面の簡単な説明】
【００１１】
【図１】本発明の実施例１であるデジタル一眼レフカメラの構成概略図である。
【図２】有機ＥＬディスプレイの断面拡大説明図である。
【図３】主ミラーの通常の退避位置でのフレア・ゴースト光の光路図である。
【図４】図３の状態でのファインダ視野内におけるフレア・ゴースト光説明図である。
【図５】実施例１におけるＥＶＦ撮影モード時におけるカメラ内の構成説明図である。
【図６】実施例１におけるＯＶＦとＥＶＦ撮影モード切り替え動作を示すフローチャートである。
【図７】図６でのサブルーチンを示すフローチャートである。
【図８】実施例１における第一の角度でのミラー駆動機構説明図である。
【図９】実施例１における第一の角度でのミラー駆動機構詳細説明図である。
【図１０】実施例１における第三の角度でのミラー駆動機構説明図である。
【図１１】実施例１における第三の角度でのミラー駆動機構詳細説明図である。
【図１２】実施例１における第二の角度でのミラー駆動機構説明図である。
【図１３】実施例１における第二の角度でのミラー駆動機構詳細説明図である。
【図１４】実施例１の回路構成を示すブロック図である。
【図１５】本発明の実施例２におけるミラー駆動機構説明図である。
【図１６】実施例２におけるＯＶＦとＥＶＦ撮影モード切り替え動作を示すフローチャートである。
【発明を実施するための形態】
【００１２】
本発明を実施するための形態は、以下の実施例１および２に記載される通りである。
【実施例１】
【００１３】
以下、本発明の実施例１である撮像装置としてのデジタル一眼レフカメラについて図１から図１４に基づいて詳細に説明する。なお、図１から図１４において同一の要素部品には同じ番号がふってある。
【００１４】
図１は、本実施例１の撮像装置としてのデジタル一眼レフカメラの概略構成を示す図である。
【００１５】
同図において、１０１はＣＰＵ（中央演算処理装置）であり、本実施例１の動作はこのＣＰＵ１０１により制御される。１０５は撮影レンズであり、撮影被写体像を撮像素子１０６上に結像させている。なお、同図に書かれた撮影レンズ１０５は、便宜的に１枚のレンズ１０５ａで表現しているが、実際には複数のレンズから成り立っている。レンズ１０５ａの光軸方向の位置はレンズ駆動部１３１により移動される。
【００１６】
１２０は、撮像素子１０６と等価の結像面に置かれたピント板であり、このピント板１２０と隣接した接眼側にはＥＶＦ撮影時の表示部である被写体像出力用の有機ＥＬディスプレイ３００が配置される。撮影レンズ１０５を通過した被写体像は主ミラー１２３で反射され、ピント板１２０上に結像する。この被写体像は有機ＥＬディスプレイ３００を透過し、ペンタプリズム１２４、さらには接眼レンズ１２１を通じて見ることができる、いわゆるＴＴＬ方式の光学ファインダ構成となっている。一方、主ミラー１２３は半透過ミラーとなっており、該主ミラー１２３を透過した一部の光束はサブミラー１２２を通じて焦点検出手段である焦点検出ユニット１１９に導かれ、公知の位相差検出方式の焦点検出動作を行う。主ミラー１２３は撮影レンズ１０５から撮像素子１０６に至る光路中に退避可能に配設されている。主ミラー１２３が可動式ミラーを構成する。１２５は複数の受光部からなる測光センサであり、測光レンズ１２６によってピント板１２０に結像した被写体像を複数の領域に分けた各々の輝度を検出することが可能となっている。
【００１７】
本実施例１におけるデジタル一眼レフカメラのＯＶＦ撮影は従来のデジタル一眼レフカメラと同じ動作をする。ＯＶＦ撮影時に、撮影者が不図示のレリーズスイッチ１１４（図１４）を押すと、主ミラー１２３とサブミラー１２２は撮影レンズ１０５の光路外に退避する。一方、撮影レンズ１０５によって集光された被写体光はフォーカルプレーンシャッタ１３３にてその光量制御がなされ、撮像素子１０６によって被写体像として光電変換処理された後、撮像済み画像として記録メディアに記録されるとともに、ＴＦＴ方式カラー液晶である外部表示部１１３に撮像画の表示がなされる。
【００１８】
以上がＯＶＦにおける静止画撮影であるが、本実施例１ではそれ以外にもＥＶＦでの静止画撮影、動画撮影が可能である。
【００１９】
次に、ＥＶＦ撮影時の説明を詳しく行う。最初に、有機ＥＬディスプレイ３００について図２を用いて詳しく説明する。図２は有機ＥＬディスプレイ３００の断面図であり、発光光の発光状態を示す。３０１ｂは有機ＥＬ発光層であるところの発光部である。３０１ａ、３０１ｃは透明なガラス基板からなり、有機ＥＬ発光層３０１ｂをシール材３０１ｄで密封することで有機ＥＬ発光層３０１ｂが保護されている。また、有機ＥＬ発光層３０１ｂからの発光光は、図２に示すように表裏両側に発せられる。有機ＥＬディスプレイ３００が透過型且つ両面発光型の表示手段を構成する。
【００２０】
図３はこの有機ＥＬディスプレイ３００をカメラに組み込んだときの通常の構成である。ここで、図中のＹ軸方向が上方向とする。
【００２１】
ＥＶＦ撮影を行う際には、撮像素子１０６に被写体像を結像させるために主ミラー１２３はアップし、光路外に退避する。前記撮像素子１０６での出力を、ピント板１２０に隣接した接眼側に配置した有機ＥＬディスプレイ３００に表示させることで、ペンタプリズム１２４、さらには接眼レンズ１２１を介して観察者は撮像素子１０６に結像された被写体像を観察することができる。しかしながら、上述の通り有機ＥＬディスプレイ３００は接眼側と被写体側の両方向（表裏両方向）に発光光を放射する特徴を有するので、通常のデジタル一眼レフカメラでは、図３のように接眼側に放射する発光光はファインダ光学系を介して、光学像として結像される一方で、被写体側に放射する発光光は上昇した主ミラー１２３に反射し、光学ファインダ内を通過して、図４の実線で示す被写体像２０１と破線で示すフレア・ゴースト光２０２が重なって、ファインダ視野内に届いてしまうこととなる。
【００２２】
図５に示された本実施例１ではこのフレア・ゴースト光２０２になる光束が眼に届かないようにするために主ミラーアップ角度をＯＶＦ撮影時と比べて、本実施例１では水平方向上方３０°としている。このときの角度はファインダ光学系、主ミラー１２３の位置、視野マスク３０１、視野サイズに依存し、これらの条件から主ミラーアップ変位に必要とされる角度が決まることとなる。ここで、少なくともフレーミング時に光学ファインダに光を導く待機角度である主ミラー角度を第一の角度（光路中に斜設される角度）と設定する。ＥＶＦ撮影時での主ミラー角度を第二の角度（水平上方３０°）と設定し、ＯＶＦ撮影時の主ミラーアップ角度を第三の角度（ほぼ水平な角度）と設定する。第二の角度と第三の角度を別個に設定した理由は、ＥＶＦ撮影時の第二の角度のみの設定である場合、ＯＶＦ撮影時のコマ速が必要な連写撮影時に、上昇角度が大きくなってコマ速が遅くなるのを防ぐためである。第二の角度は、撮影レンズ１０５から撮像素子１０６に至る光路に対してなす角度が第三の角度より大きく設定されている。
【００２３】
次に、ＯＶＦとＥＶＦの撮影モード切り替え時における動作を図６のフローチャートを用いて説明する。
【００２４】
撮影者はステップＳ１でＯＶＦとＥＶＦのどちらのモードで撮影するかを最初に選択手段を構成する操作部材の操作により選択する。この選択の設定をカメラのＣＰＵ１０１で読み込むことによってミラー角度制御部１３４（図１４）に情報伝達を行い、撮影者が選択したモードの主ミラー角度に設定する。ＯＶＦ撮影モードは、光学ファインダによりフレーミングを決定する第一のファインダモードのことである。ＥＶＦ撮影モードは、撮像素子１０６から得られる画像を有機ＥＬディスプレイ３００に表示してフレーミングを決定する第二のファインダモードのことである。
【００２５】
撮影者がＯＶＦ撮影モードに設定したときはステップＳ２で、有機ＥＬディスプレイ３００の表示電源が入っているかを確認する。表示電源が入っているときはステップＳ３に進み表示電源を落としステップＳ４に進むが、入っていないときはステップＳ３を飛ばしてステップＳ４に進む。ステップＳ４では現在の主ミラー１２３が第一の角度かを確認する。主ミラー１２３がアップしている場合は、ステップＳ５の第一の角度に駆動させるが、主ミラー１２３が既に第一の角度の場合はステップＳ６の撮像／ＯＶＦサブルーチンに進む。ここで、ステップＳ６の撮像／ＯＶＦサブルーチンの説明は後述にて詳しく行う。その後、ステップＳ７のカメラの電源ＯＦＦ指示が出されているか確認し、電源ＯＦＦしない場合は再度ステップＳ１で撮影モードを撮影者が選択する。一方で、電源ＯＦＦの場合はステップＳ８に進み、カメラの電源を落とす。
【００２６】
次に撮影者がＥＶＦ撮影モードを選択した場合はステップＳ９で、現在の主ミラー１２３が第二の角度かを確認する。主ミラー１２３が第二の角度であるときはステップＳ１２に進む。主ミラー１２３が第一の主ミラー角度の場合はステップＳ１０に進み、主ミラー１２３を後述するミラー駆動系Ｉにより第三の角度に駆動させた後に、ステップＳ１１で後述するミラー駆動系ＩＩにより第二の角度に駆動する。主ミラー１２３の角度調整が終わると、ステップＳ１２では有機ＥＬディスプレイ３００によるＥＶＦ表示をＯＮにした後、撮像素子１０６で結像された被写体像をＣＰＵ１０１にて画像処理する（ステップＳ１３）。画像処理が終わると、ステップＳ１４に進み、表示更新された出力を有機ＥＬディスプレイ３００から投影することで、撮影者は被写体像を観察する。その後、ステップＳ１５の撮像／ＥＶＦサブルーチンに進む。ここで、ステップＳ１５の撮像／ＥＶＦサブルーチンは後述にて詳しく行う。ステップＳ１５が終わると、前記既出のステップＳ７に進む。
【００２７】
次に、図７（ａ）を用いて、前記のステップＳ６の撮像／ＯＶＦサブルーチンを説明する。
【００２８】
ステップＳ１６ではレリーズスイッチ１１４が押されていれば、ＯＶＦ撮影を行うシーケンスであるステップＳ１７に進み、第三の角度に駆動させる。その後、シャッタ１３３の先幕と後幕が走行し、露光量調整を行って、ステップＳ１８の撮像を行う。撮像が終わると、ステップＳ１９で第一の角度に主ミラー１２３を駆動させる。次に、ステップＳ２０で撮像画をＣＰＵ１０１で記録する。観察者がさらに撮像するときはステップＳ１６に戻り、同様のシーケンスを行う。一方で、レリーズスイッチ１１４を押さないときはステップＳ２１より、ＯＶＦ撮像シーケンスが終了する。
【００２９】
次に、図７（ｂ）を用いて撮像／ＥＶＦサブルーチン（ステップＳ１５）の内容を説明する。ステップＳ２２でレリーズスイッチ１１４が押されている場合はＥＶＦ撮影を行うシーケンスであるステップＳ２３に進み、シャッタ１３３の先幕と後幕が走行し、露光量調整を行って、撮像を行う。撮像画は露出補正やホワイトバランスなど画像処理などを行うステップＳ２４に進み、ステップＳ２５でＣＰＵ１０１にて記録される。観察者がさらに撮像するときはステップＳ２２に戻り、同様のシーケンスを行う。一方で、レリーズスイッチ１１４を押さないときはステップＳ２６より、ＥＶＦ撮像シーケンスが終了する。
【００３０】
以上がＯＶＦ撮影とＥＶＦ撮影の切り替え時における動作である。
【００３１】
次に、主ミラー１２３の第一の角度での光路については図８で、主ミラー１２３の第三の角度のときの光路は図１０で、主ミラーの第二の角度のときの光路は図１２で、それぞれ説明を行う。また、図９は第一の角度での主ミラー駆動機構の状態を示す。図１１は第三の角度での主ミラー駆動機構の状態を示す。図１３は第二の角度での主ミラー駆動機構の状態を示す。ここで、図中のＹ方向を上方向とする。
【００３２】
図８は、主ミラー１２３が第一の角度の時、撮影レンズ１０５から入ってきた光線は主ミラー１２３で反射し、ピント板１２０、有機ＥＬディスプレイ３００、ペンタプリズム１２４、接眼レンズ１２１を介して被写体光学像が撮影者の眼に入るので、タイムラグがなく、速く動く被写体の撮影等に適している。
【００３３】
また図１０は、ＯＶＦ時の主ミラー１２３が第三の角度の時であり、撮影レンズ１０５から入ってきた光線が撮像素子１０６に結像するように、主ミラー１２３は退避している。このときはレリーズスイッチ１１４が押されたときであり、撮像を行っている。
【００３４】
また図１２は、主ミラー１２３が第二の角度位置のときの光路であり、被写体像が撮像素子１０６に結像され、画像処理された出力を有機ＥＬディスプレイ３００から表示し、ペンタプリズム１２４、接眼レンズ１２１を介して撮影者の眼で観察可能にしている。前記の課題の通り、有機ＥＬディスプレイ３００からは被写体側にも発光光が放射しているが、第二の角度まで主ミラー１２３が達しているので、有機ＥＬディスプレイの表示像の主ミラー１２３による反射光が、図５のように視野マスク３０１でケラレる構成になっており、主ミラー反射による直接光ゴーストは眼に届かない構成になっている。ここで、主ミラー反射光は接眼レンズマスク３０２（図５）、もしくは接眼枠３０３（図５）でケラレる構成になっていても良い。
【００３５】
本実施例１では主ミラー１２３のアップ角度が大きくなり、それ故カメラサイズが大きくならないように、主ミラー駆動機構が二段リンク機構になっており、この二段リンク機構の詳細な説明を、図９、図１１、図１３を用いて行う。
【００３６】
図９（ａ）は図８のミラー駆動系Ｉ（第一のミラー駆動系）のみを取り出して、中心断面から左側を見た図であり、図９（ｂ）はミラー駆動系ＩＩ（第二のミラー駆動系）のみを取り出して、中心断面から右側を見た図である。同様に、図１１（ａ）、図１１（ｂ）、図１３（ａ）、図１３（ｂ）もそれぞれの図１０、図１２のミラー駆動系ＩまたはＩＩのみを同様に取り出した図である。
【００３７】
図９（ａ）の４０３はカムＩであり、４０３ａはカム溝Ｉである。このカム溝Ｉ４０３ａに沿ってミラー軸Ｉ４０１が動き、このミラー軸Ｉ４０１はガイド板穴Ｉ４０４ａでガイドされている。また、４０３ｂはカムＩ４０３の回転中心である。同様に、図９（ｂ）の４１３はカムＩＩであり、４１３ａはカム溝ＩＩである。このカム溝ＩＩ４１３ａに沿ってミラー軸ＩＩ４１１が動き、このミラー軸ＩＩ４１１はガイド板穴ＩＩ４１４ａでガイドされており、４１３ｂはカムＩＩ４１３の回転中心である。
【００３８】
主ミラー１２３が第一の角度から第三の角度まで変位するときは、図９（ａ）と図１１（ａ）のミラー駆動系Ｉの動作のみに依存している。カムＩ４０３の回転によって、ミラー駆動系Ｉのヒンジであるミラー軸Ｉ４０１がカム溝Ｉ４０３ａに沿って動き、主ミラー角度が変位する。このとき、図９（ｂ）と図１１（ｂ）のミラー駆動系ＩＩは変位せず、ミラー駆動系ＩＩのヒンジであるミラー軸ＩＩ４１１を中心に主ミラー１２３は回転する。
【００３９】
次に、主ミラー１２３が第三の角度から第二の角度まで達するときは図１１（ｂ）と図１３（ｂ）のミラー駆動系ＩＩの動作のみに依存している。カムＩＩ４１３の回転によって、ミラー駆動系ＩＩのヒンジであるミラー軸ＩＩ４１１がカム溝ＩＩ４１３ａに沿って動き、主ミラー角度が変位する。このとき、図１１（ａ）と図１３（ａ）のミラー駆動系Ｉは変位せず、ミラー駆動系Ｉのヒンジであるミラー軸Ｉ４０１を中心に主ミラー１２３は回転する。
【００４０】
図１４は、本発明の実施例１であるデジタルカメラの概略構成を示す電気ブロック図である。同図において、１０１は前述のＣＰＵ（中央演算処理装置）であり、その内部には不揮発性メモリであるＥＥＰＲＯＭ１０１ａが構成されている。またＣＰＵ１０１には、制御プログラムを記憶しているＲＯＭ（リードオンリーメモリ）１０２、ＲＡＭ（ランダムアクセスメモリ）１０３、データ格納手段１０４、画像処理部１０８、画像表示制御部１１１、レリーズスイッチ１１４、電源を供給するためのＤＣ／ＤＣコンバータ１１７がそれぞれ接続されている。また、画像処理部１０８にはＣＣＤ制御部１０７、さらにＣＣＤ１０６が接続されている。
【００４１】
カメラ外装背面部、ファインダ内にそれぞれ設けられた外部表示部１１３はＣＣＤ１０６にて撮像された画像を縦横各々間引き処理された画像を表示することのできるＴＦＴ方式カラー液晶である。画像表示制御部１１１は、ＣＣＤ１０６にて撮像された静止画像、動画像の外部表示部１１３への表示の駆動を行っている。またＤＣ／ＤＣコンバータ１１７には電池１１６から電源が供給されている。
【００４２】
ＣＰＵ１０１はＲＯＭ１０２内の制御プログラムに基づいて各種制御を行う。これらの制御の中には、画像処理部１０８から出力された撮影画像信号を読み込み、ＲＡＭ１０３へ転送を行う処理、同様にＲＡＭ１０３より画像表示制御部１１１へデータを転送する処理、また画像データをＪＰＥＧ圧縮し、ファイル形式でデータ格納手段１０４へ格納する処理がある。動画データの場合も同様な処理を経て、ＭＯＶ形式のファイルに圧縮され、データ格納手段１０４へ格納される。
【００４３】
さらにＣＰＵ１０１は、ＣＣＤ１０６、ＣＣＤ制御部１０７、画像処理部１０８、画像表示制御部１１１などに対してデータ取り込み画素数やデジタル画像処理の変更指示を行う。
【００４４】
１１９は前述の焦点検出用の一対のラインＣＣＤセンサを含んだ焦点検出制御部であり、ラインセンサから得た電圧をＡ／Ｄ変換し、ＣＰＵ１０１に送る。またＣＰＵ１０１の指示のもとに、焦点検出制御部１１９はラインセンサの蓄積時間とＡＧＣ（オートゲインコントロール）の制御も行う。
【００４５】
また、レリーズスイッチ１１４の操作に伴う撮影動作の指示、各素子への電源の供給をコントロールするための制御信号をＤＣ／ＤＣコンバータ１１７に対して出力する等の様々な処理もＣＰＵ１０１の制御の基に行われている。
【００４６】
ＲＡＭ１０３は画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮像画像（ＹＵＶデジタル信号）やデータ格納手段１０４から読み出されたＪＰＥＧ圧縮画像データを一時的に格納するためのテンポラリバッファとして、または画像圧縮処理、解凍処理のための画像専用ワークエリアとして使用される。ワークエリア１０３ｂは各種プログラムのためのワークエリアである。ＶＲＡＭ１０３ｃは外部表示部１１３へ表示する表示データを格納するＶＲＡＭとして使用される。また一時退避エリア１０３ｄは各種データを一時退避させるためのエリアである。
【００４７】
データ格納手段１０４は、ＣＰＵ１０１によりＪＰＥＧ圧縮された撮像画像データ、あるいはＭＯＶ形式動画像データをファイル形式で格納しておくためのフラッシュメモリである。ＣＣＤ１０６は、ＣＰＵ１０１からの解像度変換指示に従って、水平方向および垂直方向の間引き画素データの出力が可能である。ＣＣＤ制御部１０７は、ＣＣＤ１０６に転送クロック信号やシャッタ信号を供給するためのタイミングジェネレータ、ＣＣＤ出力信号のノイズ除去、ゲイン処理を行うための回路、さらに、アナログ信号を１０ビットデジタル信号に変換するためのＡ／Ｄ変換回路を有しており、さらには外部表示部１１３にライブビュー表示、および動画撮影を行うために、ＣＰＵ１０１からの解像度変換指示に従って、画素間引き処理を行うための回路等を含んでいる。
【００４８】
また画像処理部１０８は、ＣＣＤ制御部１０７より出力された１０ビットデジタル信号をガンマ変換、色空間変換、また、ホワイトバランス、ＡＥ、フラッシュ補正等の画像処理を行い、ＹＵＶ（４：２：２）フォーマットの８ビットデジタル信号出力を行うものである。これら撮影レンズ１０５、ＣＣＤ１０６、ＣＣＤ制御部１０７、画像処理部１０８から撮像手段が構成されている。
【００４９】
画像表示制御部１１１は、画像処理部１０８から転送されたＹＵＶデジタル画像データ、あるいはデータ格納手段１０４の画像ファイルに対してＪＰＥＧの解凍を行ったＹＵＶデジタル画像データを受け取り、ＲＧＢデジタル信号へ変換した後、外部表示部１１３へ出力する処理を行う。
【００５０】
表示制御部１３３は、前述したＥＶＦ／ＯＶＦ制御部で選択した撮影モードをＣＰＵ１０１で読み込み、撮影モードに応じてミラー角度制御部１３４と表示制御部１３５で制御する。表示制御部１３５は、通常のカメラのシャッタ秒時（ＴＶ値）、撮影レンズ１０５の絞り制御値（ＡＶ値）等の表示、不図示のファインダ画面外（下部）に配置された液晶パネルからなる内部表示部１２９の制御も行う。また、有機ＥＬディスプレイ３００がＯＶＦ撮影モード時には発光せずに光線を透過させ、ＥＶＦ撮影モード時には発光させる制御もＣＰＵ１０１を介して行う。
【００５１】
レリーズスイッチ１１４は、撮影動作の開始を指示するためのものである。このレリーズスイッチ１１４は不図示のカメラ操作部材であるレリーズボタンの押下圧によって２段階のスイッチポジションを有しており、１段目のポジション（ＳＷ１  ＯＮ）の検出で、ホワイトバランス、測光等のカメラ設定のロック動作が行われ、２段目のポジション（ＳＷ２  ＯＮ）の検出で、被写体画像信号の取り込み動作が行われる。
【００５２】
測光制御部１３２は、ＣＰＵ１０１の指示に従って、ＣＣＤからなる測光センサ１２５を駆動制御し、被写体輝度信号を取り込み、ＣＰＵ１０１にデータを送る。
【００５３】
ＣＰＵ１０１は、これらの情報に基づいてカメラの最適露出演算を行い、カメラのシャッタスピード、撮影レンズの絞りを最適に制御することでカメラは最適な露光を得ることができる。また、１１６はリチャージャブルの２次電池あるいは乾電池などの電池である。上記の本実施例１では、ミラー軸４０１、４１１を二本使うことで、２段構成からなるリンク機構になるために、主ミラー１２３とピント板１２０の間隔をせまくすることができ、カメラ全体のサイズを小さくしながら、有機ＥＬディスプレイ３００の発光光による主ミラー反射による直接光ゴーストを眼に届かないようにすることが可能となっている。
【実施例２】
【００５４】
次に、本発明の実施例２の説明を行う。
【００５５】
図１５および図１６は実施例２を示している。
【００５６】
図１５ではステッピングモーター５０１により主ミラー１２３を駆動し、ミラーアップ位置を複数もたせた撮像装置としてのデジタル一眼レフカメラの例を示す。図１５（ａ）は主ミラー１２３が第一の角度にいるとき、図１５（ｂ）は主ミラー１２３が第三の角度のとき、図１５（ｃ）は主ミラー１２３が第二の角度のときであり、図１５において実施例１と同じ部分には同じ番号をつけて説明を省略する。ここで、図中のＹ方向は上方向とする。
【００５７】
図１５（ａ）は主ミラー１２３が第一の角度であり、設定がＯＶＦ撮影モードのとき、レリーズスイッチ１１４が押されるとＯＶＦ撮像シーケンスに入る。図１５（ｂ）は主ミラー１２３が第三の角度に達したときであり、図１５（ｃ）は第二の角度のときである。それぞれの図において、ステッピングモーター５０１の先端にはギアＩ５０２が組まれており、ギアＩ５０２が回転することで、歯数が異なるギアＩＩ５０３と噛ませて、ギアＩＩ５０３も回転する。ギアＩＩ５０３にはミラー軸が一体化しており、ミラー軸を中心に回転させることで、主ミラー１２３も回転して、主ミラー角度変位を調節する。
【００５８】
次に、ＯＶＦとＥＶＦの撮影モード切り替え時における実施例２の動作を図１６のフローチャートを用いて説明する。
【００５９】
撮影者はステップＳＴ１でＯＶＦとＥＶＦのどちらのモードで撮像するかを最初に選択し、その設定をカメラのＣＰＵ１０１で読み込むことによってミラー角度制御部１３４に情報伝達を行い、撮影者が選択したモードの主ミラー角度に設定する。
【００６０】
撮影者がＯＶＦ撮影モードに設定したときはステップＳＴ２で、有機ＥＬディスプレイ３００の表示電源が入っているかを確認する。表示電源が入っているときはステップＳＴ３に進み、表示電源を落としてステップＳＴ４に進むが、入っていないときはステップＳＴ３を飛ばしてステップＳＴ４に進む。ステップＳＴ４では現在の主ミラー１２３が第一の角度かを確認する。主ミラーアップしている場合は、ステップＳＴ５の第一の角度に駆動させるが、主ミラー１２３が既に第一の角度の場合はステップＳＴ６の撮像／ＯＶＦサブルーチンに進む。ここで、ステップＳＴ６の撮像／ＯＶＦサブルーチンの説明は実施例１の図７（ａ）と同じである。その後、ステップＳＴ７のカメラの電源ＯＦＦ指示が出されているか確認し、電源ＯＦＦしない場合は再度ステップＳＴ１の撮影モードを撮影者が選択する。一方で、電源ＯＦＦの場合はステップＳＴ８に進み、カメラの電源を落とす。
【００６１】
次に撮影者がＥＶＦ撮影モードを選択した場合はステップＳＴ９で、現在の主ミラー１２３が第二の角度かを確認する。主ミラー１２３が第二の角度であるときはステップＳＴ１１に進むが、主ミラー１２３が第一の角度の場合はステップＳＴ１０に進み、主ミラー１２３を第二の角度に駆動させる。主ミラー１２３の角度調整が終わると、ステップＳＴ１１の有機ＥＬディスプレイ３００によるＥＶＦ表示をＯＮにした後、撮像素子１０６で結像された被写体像をＣＰＵ１０１にて画像処理する（ステップＳＴ１２）。画像処理が終わると、ステップＳＴ１３に進み、表示更新された出力を有機ＥＬディスプレイ３００から投影することで、撮影者は被写体像を観察する。その後、ステップＳＴ１４の撮像／ＥＶＦサブルーチンに進む。ここで、ステップＳＴ１４の撮像／ＥＶＦサブルーチンの説明は実施例１の図７（ｂ）と同一である。
【００６２】
上記の実施例２により、ステッピングモーター５０１を用いることという単純な構成で主ミラー１２３の上昇角度を二段階持たせて、有機ＥＬディスプレイ３００からの発光光による主ミラー反射による直接光ゴーストが眼に届かないようにすることができる。
【００６３】
以上、本発明の好ましい実施例について説明したが、本発明はこれらの実施例に限定されず、その要旨の範囲内で種々の変形及び変更が可能である。
【符号の説明】
【００６４】
１０１  ＣＰＵ
１０５  撮影レンズ
１０６  撮像素子
１２０  ピント板（焦点検出板）
１２３  主ミラー
３００  有機ＥＬディスプレイ
３０３  接眼枠
４０１  ミラー軸Ｉ
４１１  ミラー軸ＩＩ
【図１】
2014170059.tif 000003
【図２】
2014170059.tif 000004
【図３】
2014170059.tif 000005
【図４】
2014170059.tif 000006
【図５】
2014170059.tif 000007
【図６】
2014170059.tif 000008
【図７】
2014170059.tif 000009
【図８】
2014170059.tif 000010
【図９】
2014170059.tif 000011
【図１０】
2014170059.tif 000012
【図１１】
2014170059.tif 000013
【図１２】
2014170059.tif 000014
【図１３】
2014170059.tif 000015
【図１４】
2014170059.tif 000016
【図１５】
2014170059.tif 000017
【図１６】
2014170059.tif 000018